(57)【要約】【課題】錦糸線が、フレームやダンパなどと接触することを防止して、錦糸線との接触による異音やショートを防止できるスピーカを提供する。【解決手段】スピーカ１は、振動部３と磁気回路部２と固定フレーム４と緩衝部材２６とを備えている。振動部３は振動板１７とボイスコイル１２を取り付けたボイスコイルボビン１３とダンパ２０と固定フレーム４の端子部２１に接続された錦糸線２５を備えている。緩衝部材２６は固定フレーム４の内縁部から錦糸線２５と相対する側に突出して設けられている。緩衝部材２６は錦糸線２５が固定フレーム４に近づいても錦糸線２５と接触して錦糸線２５が固定フレーム４と接触することを防止する。【選択図】図２
2007251285.tif 000002
【特許請求の範囲】
【請求項１】
固定フレームと、
振動することで音を生じる振動板を含み前記固定フレームに取り付けられた振動部と、
前記固定フレームに取り付けられるとともに前記振動板を振動させて音を生じさせる磁気回路部と、を備えたスピーカにおいて、
前記振動部は、前記磁気回路部と協働して前記振動板を振動させるボイスコイルと、一端が前記ボイスコイルに接続されるとともに他端が前記固定フレームに設けられた端子部に接続された錦糸線と、前記振動板が振動することを許容するとともに前記振動板の振動を徐々に減衰させるダンパと、を備え、
前記固定フレームの前記錦糸線と相対する側に、前記錦糸線と前記固定フレームとが接触することを防止する緩衝部材を備えたことを特徴とするスピーカ。
【請求項２】
前記緩衝部材は、前記錦糸線と相対する面が前記固定フレームより前記錦糸線側に設けられたことを特徴とする請求項１記載のスピーカ。
【請求項３】
前記緩衝部材は、前記ダンパの前記固定フレームに取り付けられた外縁部上に設けられていることを特徴とする請求項１又は請求項２記載のスピーカ。
【請求項４】
前記緩衝部材は、前記ダンパの外縁部の少なくとも一部分に設けられたことを特徴とする請求項３記載のスピーカ。
【請求項５】
前記振動部は、前記振動板に取り付けられた駆動コーンを有することを特徴とする請求項１乃至３記載のスピーカ。
【発明の詳細な説明】
【技術分野】
【０００１】
本発明は、例えば、音声電流が供給されることで振動板を振動させて音を発生するスピーカに関する。
【背景技術】
【０００２】
例えば、移動体としての自動車には、従来から種々のスピーカ（例えば、特許文献１参照。）が搭載されている。従来から用いられてきたスピーカは、固定フレームと、該固定フレームに取り付けられた振動部と、固定フレームが取り付けられるとともに振動板を振動させて音を生じさせる磁気回路部と、を備えている。
【０００３】
固定フレームは、磁気回路部に設けられたヨークプレート上面に取り付けられている。
【０００４】
振動部は、音声電流が供給されるボイスコイルと、該ボイスコイルに取り付けられた駆動コーンと、更に該駆動コーンに取り付けられた振動板を備えている。
【０００５】
磁気回路部は、一端が前記ボイスコイルに接続され、他端が前記固定フレームに設けられた端子部に接続された錦糸線と、前記振動板が振動することを許容するとともに前記振動板の振動を徐々に減衰させるダンパと、を備えている。
【０００６】
前述した構成のスピーカは、ボイスコイルに音声電流が供給されて、該音声電流に応じて前記ボイスコイルが磁気回路部と協働して前記振動板と前記駆動コーンを振動させることで、前述した音声電流に応じた音を前記振動板即ち振動部から発生する。
【特許文献１】国際公開第２００２／３０１５０号パンフレット
【発明の開示】
【発明が解決しようとする課題】
【０００７】
前述した構成のスピーカは、振動板など振動する際に前述した錦糸線がダンパ或いは固定フレームに接触して異音が発生したり、錦糸線がショートすることが有るという欠点があった。また、錦糸線を用いた従来のスピーカでは、過大な音声電流がボイスコイルに供給されると、錦糸線の異常な跳躍現象が生じることがあった。
【０００８】
このため、従来のスピーカは、端子部とボイスコイルとを接続する錦糸線の中央部を固定フレームに固定し、振動板の振動方向の固定フレームと錦糸線の間隔を、前述した固定フレームに固定した中央部によって大きく確保している。こうすることで、振動時に錦糸線がダンパ或いは固定フレームに接触することを防止している。
【０００９】
しかしながら、前述したように錦糸線の中央部を固定フレームに固定すると、振動時に錦糸線の中央部と固定フレームとが接触し、異音が発生していた。また、錦糸線の中央部を接着剤等で固定フレームに固定しても、長時間の大出力動作によって接着剤の剥がれが生じるため、スピーカの用途（ハイパワー対応や高温環境等）によっては接着信頼性に欠けるという問題があった。
【００１０】
したがって、本発明の目的は、例えば、錦糸線の中央部を固定フレームに固定しなくても、錦糸線が固定フレームに接触することを防止できるスピーカを提供することにある。
【課題を解決するための手段】
【００１１】
前記課題を解決し目的を達成するために、請求項１に記載の本発明のスピーカは、固定フレームと、振動することで音を生じる振動板を含み前記固定フレームに取り付けられた振動部と、前記固定フレームに取り付けられるとともに前記振動板を振動させて音を生じさせる磁気回路部と、を備えたスピーカにおいて、前記振動部は、前記磁気回路部と協働して前記振動板を振動させるボイスコイルと、一端が前記ボイスコイルに接続されるとともに他端が前記固定フレームに設けられた端子部に接続された錦糸線と、前記振動板が振動することを許容するとともに前記振動板の振動を徐々に減衰させるダンパと、を備え、前記固定フレームの前記錦糸線と相対する側に、前記錦糸線と前記固定フレームとが接触することを防止する緩衝部材を備えたことを特徴とするスピーカ。
【発明を実施するための最良の形態】
【００１２】
以下、本発明の一実施形態にかかるスピーカを説明する。本発明の一実施形態にかかるスピーカは、固定フレームの錦糸線と相対する側に緩衝部材を設け、緩衝部材の錦糸線と相対する面が固定フレームより錦糸線側に設けられることにより、錦糸線が緩衝部材に接触することで錦糸線と固定フレームとが接触することを防止している。こうすることで、錦糸線のショートや異音の発生を防止している。
【００１３】
また、緩衝部材が、ダンパの固定フレームに取り付けられた外縁部上に設けられているので、固定フレームとダンパを接着する工程と同一工程にて緩衝部材を接着することができるため工数を削減するとともに、固定フレームとダンパとの接合部分の接着強度を向上させることができる。
【００１４】
さらに、緩衝部材が、ダンパの外縁部の少なくとも一部分に設けられていれば良い。この場合、緩衝部材がダンパの固定フレームに取り付けられた外縁部の一部分に設けられていると、固定フレームとダンパとの接合部分の接着を強化することができ、さらにダンパの固定フレームに取り付けられた外縁部の全周に設けられていると、より確実に接着強度を向上させることができる。
【実施例】
【００１５】
本発明の一実施例を図１乃至図３に基づいて説明する。本発明の一実施例に係るスピーカ１は、移動体としての自動車などに搭載されて、該自動車の乗員に音声情報を提供する。
【００１６】
スピーカ１は、図１乃至図３に示すように、図示しないキャビネットと、磁気回路部２と、該磁気回路部２によって振動されて音を生じる振動部３と、緩衝部材２６と、を備えている。
【００１７】
キャビネットは、図示しない扁平な箱状のキャビネット本体と、固定フレーム４とを備えている。キャビネット本体には、振動部３の主に後述する振動板１７を露出するための露出窓が設けられている。露出窓は、勿論、キャビネット本体の内外を連通している。
【００１８】
固定フレーム４は、厚手の板金で構成されている。固定フレーム４は、外観が裁頭錐（錐台）状の本体部５と、該本体部５の外縁から該本体部５の外方向に延びたフランジ部６と、端子部２１とを備えている。本体部５は、環状に形成されている。本体部５及びフランジ部６の外縁の平面形状は、小判形に形成されている。固定フレーム４は、本体部５がキャビネット本体内に収容されて、フランジ部６が該キャビネット本体に固定される。固定フレーム４には、貫通孔が設けられている。貫通孔は、固定フレーム４を貫通している。貫通孔は、本体部５とフランジ部６との間に設けられている。
【００１９】
端子部２１は、平板状に形成され、かつ本体部５から該本体部５の外周方向に延在（突出）している。端子部２１は、アンプなどの外部機器と接続されている。端子部２１は、アンプなどの外部機器から音声電流が供給される。
【００２０】
磁気回路部２は、前述したキャビネット内に収容されている。磁気回路部２は、図２に示すように、磁性体（所謂、常磁性体又は強磁性体）で構成されたヨーク７と、磁石８と、磁性体（所謂、常磁性体又は強磁性体）で構成されたヨークプレート９とを備えている。ヨーク７は、円環状のボトムプレート１０と、該ボトムプレート１０の中央の内縁部から立設した円筒状の筒部１１とを一体に備えている。
【００２１】
磁石８は、円環状に形成されている。磁石８の内径は、筒部１１の外径よりも大きい。磁石８は、内側に筒部１１を通して、ボトムプレート１０に重ねられている。前述した磁石８は、永久磁石又は直流電源により励磁されるものでも良い。
【００２２】
ヨークプレート９は、円環状に形成されている。ヨークプレート９の内径は、筒部１１の外径よりも大きい。ヨークプレート９は、内側にヨーク７の筒部１１と後述するボイスコイルボビン１３とを通した状態で、磁石８上に重ねられている。前述したヨーク７と、磁石８と、ヨークプレート９は、互いに同軸に配置されている。このため、磁石８とヨークプレート９の内周面は、ヨーク７の筒部１１の外周面と間隔をあけている。
【００２３】
前述した構成により、磁気回路部２は、所謂外磁型に構成されている。磁気回路部２は、ヨーク７の筒部１１の外周面と、ヨークプレート９の内周面との間に、後述のボイスコイル１２と協働して駆動コーン１４及び振動板１７を駆動（振動）するための磁力を発生する磁気ギャップＧを形成している。即ち、磁気回路部２は、ボイスコイル１２と協働して、駆動コーン１４及び振動板１７を振動させる。
【００２４】
また、磁気回路部２のヨークプレート９には、固定フレーム４の内縁部が重ねられている。ヨークプレート９は、固定フレーム４と固定されている。
【００２５】
振動部３は、前述したキャビネット内に収容されている。振動部３は、ボイスコイル１２と、錦糸線２５と、ボイスコイルボビン１３と、駆動コーン１４と、振動板１７と、ダンパ２０と、エッジ１８などを備えている。ボイスコイル１２は、磁気回路部２の前述した磁気ギャップＧ内に配されている。ボイスコイル１２には、錦糸線２５が接続している。該錦糸線２５は、一端が前記ボイスコイル１２に接続し、他端が端子部２１に接続している。錦糸線２５は、固定フレーム４より振動板１７寄りに配置されている。ボイスコイル１２には、錦糸線２５などを介して音声電流が供給される。
【００２６】
ボイスコイルボビン１３は、円筒状に形成されている。ボイスコイルボビン１３の内径は、ヨーク７の筒部１１の外径よりも大きく形成されている。ボイスコイルボビン１３の外径は、ヨークプレート９の内径よりも小さく形成されている。ボイスコイルボビン１３は、ヨーク７とヨークプレート９とボイスコイル１２などと同軸に配されている。ボイスコイルボビン１３は、軸芯方向の一端部が磁気ギャップＧ内に挿入されており、該一端部の外周にボイスコイル１２を取り付けている。ボイスコイルボビン１３は、駆動コーン１４とエッジ１８などによって、ヨーク７の軸芯Ｐ（図２中に一点鎖線で示す）に沿って移動自在に支持されている。なお、ヨーク７の軸芯Ｐは、スピーカ１の軸芯となっている。
【００２７】
駆動コーン１４は、合成樹脂で構成されている。駆動コーン１４は、図２に示すように、本体部１５と、フランジ部１６とを一体に備えている。本体部１５は、外観が裁頭錐（錐台）状の環状に形成されている。本体部１５は、その内縁がダンパ２０の内縁部に取り付けられている。本体部１５即ち駆動コーン１４は、ダンパ２０及びボイスコイルボビン１３を介して、ボイスコイル１２に取り付けられている。
【００２８】
フランジ部１６は、本体部１５に連なりかつ該本体部１５の外縁から該本体部１５の外周方向に延びた平板状に形成されている。フランジ部１６の外縁の平面形状は、固定フレーム４と略同形状の小判形に形成されている。
【００２９】
振動板１７は、金属で構成されているとともに、図示例では、平板状に形成されている。振動板１７の平面形状は、駆動コーン１４などの平面形状と同様に小判形に形成されている。振動板１７は、駆動コーン１４よりも若干小さく形成されている。振動板１７は、図２に示すように、駆動コーン１４のフランジ部１６に重ねられて、接着剤等によってフランジ部１６即ち駆動コーン１４に固定される。
【００３０】
ダンパ２０は、円環状に形成され、かつ薄板状に形成されている。ダンパ２０は、内縁部がボイスコイルボビン１３に取り付けられ、かつ外縁部が固定フレーム４の内周面に取り付けられている。ダンパ２０には、駆動コーン１４の内縁部が取り付けられている。ダンパ２０は、ボイスコイルボビン１３即ち駆動コーン１４及び振動板１７が前述した軸芯Ｐに沿って振動することを許容するとともに、該ボイスコイルボビン１３即ち駆動コーン１４及び振動板１７の振動を徐々に減衰させる。
【００３１】
エッジ１８は、円環状に形成され、かつ薄板状に形成されている。エッジ１８は、内縁部が駆動コーン１４の外縁部に取り付けられ、かつ外縁部が固定フレーム４の外縁部に取り付けられている。エッジ１８は、接着剤等によって固定フレーム４に固定されている。エッジ１８は、ボイスコイルボビン１３即ち駆動コーン１４及び振動板１７が前述した軸芯Ｐに沿って振動することを許容するとともに、該ボイスコイルボビン１３即ち駆動コーン１４及び振動板１７の振動を徐々に減衰させる。
【００３２】
緩衝部材２６は、例えば、各種の変形が可能な樹脂や不織布などからなり、円環状に形成されている。緩衝部材２６は、ダンパ２０の固定フレーム４に取り付けられた外縁部の錦糸線２５と相対する面に取りつけられている。
【００３３】
また、緩衝部材２６は、固定フレーム４の本体部５から錦糸線２５側に向かって突出するように、緩衝部材２６の錦糸線２５と相対する面が固定フレーム４より錦糸線２５側に設けられている。
【００３４】
さらに、緩衝部材２６は、ダンパ２０と同軸に配置され、該ダンパ２０の外縁部の全周に設けられている。
【００３５】
前述した構成のスピーカ１は、ボイスコイル１２に音声電流が供給され、この音声電流に応じて磁気ギャップＧ内に保持されたボイスコイル１２が前述した軸芯Ｐに沿って振動する。そして、ボイスコイル１２を支持したボイスコイルボビン１３が、駆動コーン１４及び振動板１７などと共に軸芯Ｐに沿って振動して、該駆動コーン１４及び振動板１７などが音声電流に応じた音を生じる。このように、磁気回路部２は、駆動コーン１４及び振動板１７則ち振動部３を振動させて音を生じさせる。
【００３６】
また、前述した構成のスピーカ１は、過大な音声電流がボイスコイル１２に供給されて、錦糸線２５が固定フレーム４に近づいても、固定フレーム４の内周面でかつダンパ２０の固定フレーム４に取り付けられた外縁部の錦糸線２５と相対する面に緩衝部材２６が設けられ、かつ固定フレーム４の本体部５から錦糸線２５側に突出しているため、図３の二点鎖線２５で示すように、錦糸線２５が緩衝部材２６に接触する。このように、緩衝部材２６は、錦糸線２５と接触することにより錦糸線２５が固定フレーム４に接触することを防止する。
【００３７】
本実施例によれば、固定フレーム４の内周面で本体部５の錦糸線２５と相対する面に緩衝部材２６が設けられ、かつ緩衝部材２６の錦糸線２５と相対する面が固定フレーム４より錦糸線２５側に突出しているため、錦糸線２５が緩衝部材２６に接触する。このため、錦糸線２５が固定フレーム４に接触することを防止し、異音の発生や錦糸線２５がショートすること防止できる。
【００３８】
また、ダンパ２０の外縁部に緩衝部材２６が設けられているため、固定フレーム４とダンパ２０を取り付ける工程と同一工程にて緩衝部材２６の取りつけを行うことができ、また、ダンパ２０外縁部上に緩衝部材２６が設けられているので、固定フレーム４とダンパ２０の取り付け部分の補強をすることができる。このため、工数を削減するとともに、固定フレーム４とダンパ２０との取り付け部分の接着強度を向上させることができる。
【００３９】
さらに、ダンパ２０の外縁部の全周に緩衝部材２６が設けられているため、固定フレーム４とダンパ２０の取り付け部分を補強することができる。このため、より固定フレーム４とダンパ２０との取り付け部分の接着強度を向上させることができる。
【００４０】
前述した実施例では、緩衝部材２６が、ダンパ２０の外縁部の全周に設けられていた。しかしながら、本発明では、緩衝部材２６がダンパ２０の外縁部に設けられていれば良く、少なくとも一部分に設けていれば良い。また、ダンパ２０に設けられた緩衝部材２６は、方体状に形成されていると取り付け易いため望ましい。
【００４１】
また、前述した実施例では、緩衝部材２６は、ダンパ２０の外縁部に取り付けられていたが、固定フレーム４に取り付けても良い。
【００４２】
さらに、前述した実施例では、振動部３は、振動板１７に取り付けられた駆動コーン１４を有していた。しかしながら本発明では、振動板１７を有したスピーカ１であれば良く、必ずしも駆動コーン１４を有していなくても良い。
【００４３】
前述した実施例によれば、以下のスピーカ１が得られる。
【００４４】
（付記）  固定フレーム４と、
振動することで音を生じる振動板１７を含み前記固定フレーム４に取り付けられた振動部３と、
前記固定フレーム４に取り付けられるとともに前記振動板１７を振動させて音を生じさせる磁気回路部２と、を備えたスピーカ１において、
前記振動部３は、前記磁気回路部２と協働して前記振動板１７を振動させるボイスコイル１２と、一端が前記ボイスコイル１２に接続されるとともに他端が前記固定フレーム４に設けられた端子部２１に接続された錦糸線２５と、前記振動板１７が振動することを許容するとともに前記振動板１７の振動を徐々に減衰させるダンパ２０と、を備え、
前記固定フレーム４の前記錦糸線２５と相対する側に、前記錦糸線２５と前記固定フレーム４とが接触することを防止する緩衝部材２６を備えたことを特徴とするスピーカ１。
【００４５】
付記によれば、固定フレーム４の内周面で本体部５の錦糸線２５と相対する面に緩衝部材２６が設けられているため、錦糸線２５が緩衝部材２６に接触する。このため、錦糸線２５が固定フレーム４に接触することを防止する。したがって、スピーカ１は、異音の発生や錦糸線２５がショートすること防止できる。
【００４６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４７】
【図１】本発明の一実施例にかかるスピーカを示す平面図である。
【図２】図１中のII−II線に沿う断面図である。
【図３】図１に示されたスピーカの要部断面図である。
【符号の説明】
【００４８】
１  スピーカ
２  磁気回路部
３  振動部
４  固定フレーム
１２  ボイスコイル
１７  振動板
２０  ダンパ
２１  端子部
２５  錦糸線
２６  緩衝部材
Ｐ  軸心
【図１】
2007251285.tif 000003
【図２】
2007251285.tif 000004
【図３】
2007251285.tif 000005